(57)【要約】【課題】  本発明は、犬などの動物の歯を磨く際に、手動操作によって静かに且つ能率よく歯磨き操作を行えるようにした動物用歯磨き器を提供することを課題とする。【解決手段】  犬などの動物の歯の清掃のため同歯に被せて動かすための筒状部１の内面に、起毛部３ａのごとき清掃部材３が設けられており、同筒状部１を往復回動させるための把持部２が設けられる。把持部２は円柱状に形成されて、筒状部１を中心軸線まわりに回転操作しやすいように、母線方向の突条２ａを備えている。【選択図】          図１
2006000009.tif 000002
【特許請求の範囲】
【請求項１】
犬などの動物の歯の清掃のため同歯に被せて動かすための筒状部と、同筒状部の内面に設けられた清掃部材とを備えて構成されていることを特徴とする、動物用歯磨き器。
【請求項２】
上記清掃部材が、上記筒状部の内面に植立された起毛部として構成されていることを特徴とする、請求項１に記載の動物用歯磨き器。
【請求項３】
上記筒状部が、同筒状部の中心軸線まわりに回動操作されるための把持部を備えていることを特徴とする、請求項１または２に記載の動物用歯磨き器。
【請求項４】
上記筒状部の底部に基端を装着されて同筒状部の中心軸線と交叉する方向に延在する棒状部材と、同棒状部材の先端部に相対回転可能に設けられた把持部材とを備えていることを特徴とする、請求項１または２に記載の動物用歯磨き器。
【請求項５】
上記棒状部材の中間部に、相対回転可能の中間把持部材が設けられたことを特徴とする、請求項４に記載の動物用歯磨き器。
【発明の詳細な説明】
【技術分野】
【０００１】
本発明は、犬などの動物に用いられる歯磨き器に関する。
【背景技術】
【０００２】
犬などの動物の歯を磨くため、電動式の歯磨き器が開発されており、円盤状ブラシを上記歯に接触させてモーターで一定回転方向に回転させる構成が採用されている。
しなしながら、上述のようなモーター駆動の回転式円盤状ブラシを用いると、モーターの騒音により動物が驚いて、上記ブラシを噛み砕く恐れがある。
【特許文献１】特開２０００−１５７０８３号公報
【発明の開示】
【発明が解決しようとする課題】
【０００３】
本発明は、犬などの動物の歯を磨く際に、手動操作によって静かに且つ能率よく歯磨き操作を行えるようにした動物用歯磨き器を提供することを課題とする。
【課題を解決するための手段】
【０００４】
前述の課題を解決するため、本発明の動物用歯磨き器は、犬などの動物の歯の清掃のため同歯に被せて動かすための筒状部と、同筒状部の内面に設けられた清掃部材とを備えて構成されていることを特徴としている。
【０００５】
また、本発明の動物用歯磨き器は、上記清掃部材が、上記筒状部の内面に植立された起毛部として構成されていることを特徴としている。
【０００６】
さらに、本発明の動物用歯磨き器は、上記筒状部が、同筒状部の中心軸線まわりに回動操作されるための把持部を備えていることを特徴としている。
【０００７】
また、本発明の動物用歯磨き器は、上記筒状部の底部に基端を装着されて同筒状部の中心軸線と交叉する方向に延在する棒状部材と、同棒状部材の先端部に相対回転可能に設けられた把持部材とを備えていることを特徴としている。
【０００８】
さらに、本発明の動物用歯磨き器は、上記棒状部材の中間部に、相対回転可能の中間把持部材が設けられたことを特徴としている。
【発明の効果】
【０００９】
上述の本発明の動物用歯磨き器では、犬などの動物の歯に筒状部を被せて往復回動や上下動などの操作を行うことにより、同筒状部の内面に設けられている清掃部材と同清掃部材に予め付着させた練り歯磨き剤の作用で、能率よく歯磨き操作を行うことが可能となる。その際、上記操作は手作業により静粛に行われるので、動物を驚かすようなことはなく、安全に歯磨き操作が行われるようになる。
【００１０】
また、上記清掃部材が上記筒状部の内面に植立された起毛部として構成されていると、同起毛部への練り歯磨き剤の付着が適切に保たれるようになり、これにより歯磨き作用が十分に行われるようになる。
【００１１】
さらに、上記筒状部が、同筒状部の中心軸線まわりに回動操作されるための把持部を備えていると、同把持部を指で摘みながら上記筒状部を往復回動させたり上下動させたりして、同筒状部内の清掃部材による歯磨き作用を能率よく行うことが可能になる。
【００１２】
また、上記筒状部の底部に基端部を装着されて同筒状部の中心軸線と交叉する方向に延在する棒状部材と、同棒状部材の先端部に相対回転可能に設けられた把持部材とを備えていると、上記筒状部を犬などの歯に被せた後、上記棒状部材の中間部を一方の手で支えながら、他方の手で上記把持部材を把持しつつ上記棒状部材の往復回動操作を能率よく簡便に行うことが可能になり、これに伴い上記筒状部の往復回動も適切に行われるので、同筒状部内の清掃部材による歯磨き作用が一層的確に行われる。
【００１３】
そして、上記棒状部材の中間部に、相対回転可能の中間把持部材を備えている場合は、同中間把持部材を一方の手で把持しながら、他方の手で前記把持部材を操作することにより、前記筒状部を往復回動させて、能率よく歯磨き操作を行うことができる。
また、歯磨き操作が上記棒状部材を介して行われることにより、動物が口を閉じても手を咬まれることはなく、十分に安全性が保たれる。
【発明を実施するための最良の形態】
【００１４】
犬などの動物の歯に被せる筒状部の内面に清掃部材としての起毛部を設けて、同起毛部に練り歯磨きを付着させておき、上記筒状部の底部に基端部を装着されて水平に延在する棒状部材の先端部を把持して左右に動揺させることで歯磨き作用が容易に、かつ、静粛に行われる。その際、上記棒状部材の先端部および中間部に、それぞれ相対回転可能の把持部材および中間把持部材を設けておくことにより、一方の手で上記中間把持部材を支えながら、他方の手で上記把持部材の水平面内での往復揺動操作を行うようにして、歯磨き操作が一層能率よく安全に行われるようになる。なお、上述の歯磨き操作に際しては、２人がかりで操作を行うことが望ましく、補助者が犬などの動物の口を開いた状態に保つとよい。
【実施例１】
【００１５】
図１は本発明の実施例１としての動物用歯磨き器を示す立面図である。
図１に示すように、犬などの動物の歯に被せるサイズの筒状部１が、その一端に開口１ａを有するとともに他端に把持部２を備えるようにして構成されており、同筒状部１の内面には清掃部材３としての植毛による起毛部３ａが施されている。
なお、清掃部材３としては起毛部３ａの代わりに軟質ゴムの凹凸面などを施すようにしてもよい。
【００１６】
筒状部１や把持部２の材質としてはシリコン材などの軟質または硬質のプラスチック材やゴム材などが用いられるが、金属材を用いてもよい。金属製の筒状部１を採用した場合は、その内部に、清掃部材３を有するプラスチック製円筒体が密嵌され、同円筒体は消耗品として交換可能とされる。
【００１７】
また、把持部２は、円柱状に形成されて、筒状部１を中心軸線まわりに回動操作しやすいように、母線方向の突条２ａを備えている。
【００１８】
上述の実施例１の動物用歯磨き器では、犬などの動物の歯に筒状部１を被せて往復回動や上下動などの操作を行うことにより、同筒状部１の内面に設けられている清掃部材３に予め付着させた練り歯磨き剤の作用で、能率よく歯磨き操作を行うことが可能となる。その際、上記操作は手作業により静粛に行われるので、動物を驚かすようなことはなく、安全に歯磨き操作が行われるようになる。
【００１９】
また、清掃部材３が筒状部１の内面に植立された起毛部３ａとして構成されているので、同起毛部３ａへの練り歯磨き剤の付着が適切に保たれるようになり、これにより歯磨き作用が十分に行われるようになる。
【００２０】
さらに、筒状部１が、同筒状部１の中心軸線まわりに回動操作されるための把持部２を備えているので、同把持部２を指で摘みながら筒状部１を往復回動させて、同筒状部１内の清掃部材３による歯磨き作用を能率よく行うことが可能になる。
なお、上述の歯磨き操作の際には、一方の手で犬などの動物の口を開口状態に保ち、他方の手で歯磨き器を操作することができる。
【００２１】
また、歯の相互間の隙間が小さい場合のために、図２に変形例として示すように、筒状部１の開口１ａの縁部両側に切欠き部１ｂ，１ｂを形成しておいてもよく、その場合は、切欠き部１ｂに、隣接する歯の根元部が緩やかに入り込んだ状態で、筒状部１の往復回動操作や上下動操作が行われる。
【００２２】
図３は本発明の実施例２としての動物用歯磨き器を示す側面図であり、図４は図３の使用状態を示す説明図である。
図３に示すように、実施例２の場合も、犬などの動物の歯に被せるサイズの筒状部１が、その一端に開口１ａを有するとともに、同筒状部１の内面には清掃部材３としての植毛による起毛部３ａが施されている。
【００２３】
実施例２では、特に筒状部１の底部に基端を装着されて同筒状部１の中心軸線と交叉する方向に延在する棒状部材（レバー）４が設けられて、同棒状部材４の先端部には相対回転可能の円筒状把持部材（ノブ）５が軸支されている。
そして、棒状部材４の中間部にも、相対回転可能の中間把持部材６が軸支されている。  
【００２４】
上述の実施例２では、筒状部１の底部に基端部を装着されて同筒状部１の中心軸線と交叉する方向に延在する棒状部材４と、同棒状部材４の先端部に相対回転可能に設けられた把持部材５とを備えているので、図４に示すように、筒状部１を犬などの歯に被せた後、棒状部材４の中間部を一方の手Ｌで支えながら、他方の手Ｒで把持部材５を把持しつつ棒状部材４の往復回動操作を能率よく簡便に行うことが可能になり、これに伴い筒状部１の往復回動も適切に行われるので、同筒状部１内の清掃部材３による歯磨き作用が一層的確に行われる。
【００２５】
そして、棒状部材４の中間部に、相対回転可能の中間把持部材６を備えていると、同中間把持部材６を一方の手Ｌで把持しながら、他方の手Ｒで把持部材５を操作することにより、筒状部１を往復回動させて、能率よく歯磨き操作を行うことができる。
【００２６】
また、上述の実施例２の動物用歯磨き器では、歯磨き操作を行っている際に、動物が口を閉じても手Ｌ，Ｒを咬まれることはなく、十分に安全性が保たれる。
【００２７】
なお、実施例２の動物用歯磨き器を用いる場合には２人がかりで作業を行うことが望ましく、その場合は補助の者が犬の口を開いた状態に保持する操作を行う。
また、実施例２の場合も、実施例１と同様に、筒状部１の開口１ａの縁部両側に、隣接する歯の根元部が緩やかに入り込めるような切欠き部（図２の符号１ｂ参照）を形成することが望ましい。
【産業上の利用可能性】
【００２８】
磨くための突起状対象物に適合するように筒状部１のサイズや起毛部３ａの毛足を設定することにより、照明器具に装着されている電球などの外面を清掃する場合にも利用することができる。
【図面の簡単な説明】
【００２９】
【図１】本発明の実施例１としての動物用歯磨き器を示す立面図である。
【図２】図１の実施例１の変形例を示す斜視図である。
【図３】本発明の実施例２としての動物用歯磨き器を示す側面図である。
【図４】図３の動物用歯磨き器の使用状態を示す説明図である。
【符号の説明】
【００３０】
１  筒状部
１ａ  開口
１ｂ  切欠き部
２  把持部
２ａ  突条
３  清掃部材
３ａ  起毛部
４  棒状部材
５  把持部材
６  中間把持部材
Ｌ，Ｒ  手
【図１】
2006000009.tif 000003
【図２】
2006000009.tif 000004
【図３】
2006000009.tif 000005
【図４】
2006000009.tif 000006